(57)【特許請求の範囲】
【請求項１】
常時電話回線に接続されて局から供給される局電源によって作動する電話機と、
常時商用電源に接続されて宅内の設備に異常が発生すると自動的に起動信号を発するとともに、上記電話機がオフフックのときに上記設備に異常が発生した場合には、上記設備に発生した異常種別に応じた所定の時間間隔で、上記起動信号を繰り返し発する遠隔監視装置と、
上記電話機がオンフックのときに上記遠隔監視装置が上記起動信号を発すると上記電話回線を上記電話機から上記遠隔監視装置へ切り替えて遠隔のセンター装置に上記設備異常を通報する切替装置と、
上記電話機がオフフックのときに上記遠隔監視装置が上記起動信号を発すると、繰り返し発せられる上記起動信号のうち、所定回数目の上記起動信号からの経過時間を、所定の基準時間まで計数するタイマと、
上記電話機がオフフックのとき、上記タイマによって計数される上記経過時間が上記所定の基準時間に達する前に、上記遠隔監視装置が上記起動信号を発すると、上記電話機に警告音を発生させる警告音発生回路と
を備えた宅内通信装置。
【発明の詳細な説明】
【０００１】
【発明の属する技術の分野】
この発明は、設備の異常を遠隔のセンター装置に通報する遠隔監視装置と電話機とを切り替えて同一の電話回線を共用する宅内通信装置に関する。
【０００２】
【従来の技術】
図１１及び図１２は、従来の宅内通信装置を示す。図において、宅内設備１の異常を監視する遠隔監視装置２は、内線２ａによって回線アダプタ４に接続され、電話機３は内線３ａによって回線アダプタ４に接続されている。回線アダプタ４は、内線２ａと内線３ａを択一的に外線５に接続し、遠隔監視装置２は公衆回線網６を介してセンター装置７に接続して上記設備異常を通報する。電話機３は公衆回線網６を介して目的の電話機８に接続する。
回線アダプタ４には、ホトカプラからなる電流検出器Ｄと増幅回路１１と常閉接点ＦｄとリレーＣとが直列に接続された内線２ａの電流検出回路と、ホトカプラからなる電流検出器Ｅと増幅回路１２とリレーＦとが直列に接続された内線３ａの電流検出回路とから構成されている。
【０００３】
遠隔監視装置２及び電話機３のいずれも使用されていないとき（以下、オンフックという。）、内線２ａ及び内線３ａはいずれも電流は流れていないのでリレーＣ及びリレーＦはいずれも消勢されている。このため、接点Ｃｐ、接点Ｃｑ、接点Ｃｒ及び接点Ｆｄは、いずれも図１１に示す状態となる。即ち、遠隔監視装置２は接点Ｃｑによって電話回線５からは遮断され、接点Ｃｐを介して商用電源Ｐに常時接続されている。電話機３は接点Ｃｒを介して外線５に接続されており、局電源から常時給電されている。
従って、回線アダプタ４は、電話機３を常時外線５に接続しており、電話機３のみが使用されるとき（以下、オフフックという。）、通常どおり外線５→公衆回線網６を介して目的の電話機８に接続される。
一方、設備異常が発生して遠隔監視装置２のみがオフフックとなると、商用電源Ｐ→接点Ｃｐ→電流検出器Ｄ→内線２ａ→遠隔監視装置２の回路で電流が流れる。これにより、リレーＣが付勢され、接点Ｃｑが閉成し、接点Ｃｐ及び接点Ｃｒがいずれも開放する。即ち、電源は商用電源Ｐから局電源に切り替って外線５→公衆回線網６を介してセンター装置７に接続されて異常通報がなされる。また、接点Ｃｒによって電話機３が開放される。即ち、遠隔監視装置２と電話機３とは、先取り優先で外線５に接続されることになる。
【０００４】
即ち、電話機３がｔ０でオフフックとなり、その後に設備異常が発生したとする。遠隔監視装置２は商用電源Ｐによって作動して時刻ｔ１でオフフックして起動信号を発生する。このとき電流検出器Ｄには商用電源Ｐから電流が流れるが、リレーＦが付勢されているので接点Ｆｄは開放しており、リレーＣは付勢されない。従って、遠隔監視装置２は外線５から遮断されており、上記起動信号はセンター装置７へは着信しない。このため、上記起動信号に対する応答信号がセンター装置７から返信されないことが遠隔監視装置２で検出され、通報失敗となる。そこで、時刻ｔ２で再度起動信号を発生させるが、まだ電話機３は通話中であり同様に応答信号の返信はなく通報失敗となる。更に、時刻ｔ３で起動信号を発生させるが、同様に電話機３は通話中であり通報失敗となる。一の設備異常に対して３回の通報失敗が繰り返されたことになり、異常通報は断念される。以後、設備が修復されて上記設備異常が解消されるまで同一の設備異常が通報原因となることはない。
その後時刻ｔ４で電話機３による通話が終了し、時刻ｔ５で設備１に別の異常が発生したとすると、上記のとおり遠隔監視装置２の電源は商用電源Ｐから局電源に切り替って外線５→公衆回線網６を介してセンター装置７に接続されて異常通報がなされる。
【０００５】
【発明が解決しようとする課題】
従来の宅内通信装置は、上記のとおり遠隔監視装置２と電話機３とを択一的に切り替えて一の電話回線５に接続するように構成されているので、電話機３の通話中に宅内設備１に異常が発生し、この異常をセンター装置７へ通報する場合に、上記電話機３による通話が長引いたために、遠隔監視装置２が予め定められた所定回数起動信号を発しても、いずれも通報失敗に終わった場合、以後、この通報失敗に終わった設備異常は通報されない。この通報失敗に終わった設備異常と同一の設備異常が通報されるようになるのは、設備が修復されて上記設備異常が解消され、その後に改めて発生した場合に限られる。このため、上記通報失敗に終わった設備異常は別途の方法で通報しなければならず、異常対策が遅れるという問題点があった。
【０００６】
この発明は、かかる問題点を解消するためになされたものであり、電話機の通話中に宅内設備に異常が発生した場合でも、上記異常を遠隔のセンター装置に通報できる宅内通信装置を得ることを目的とする。
【０００７】
【課題を解決するための手段】
この発明に係る宅内通信装置は、常時電話回線に接続されて局から供給される局電源によって作動する電話機と、常時商用電源に接続されて宅内の設備に異常が発生すると自動的に起動信号を発するとともに、上記電話機がオフフックのときに上記設備に異常が発生した場合には、上記設備に発生した異常種別に応じた所定の時間間隔で、上記起動信号を繰り返し発する遠隔監視装置と、上記電話機がオンフックのときに上記遠隔監視装置が上記起動信号を発すると上記電話回線を上記電話機から上記遠隔監視装置へ切り替えて遠隔のセンター装置に上記設備異常を通報する切替装置と、上記電話機がオフフックのときに上記遠隔監視装置が上記起動信号を発すると、繰り返し発せられる上記起動信号のうち、所定回数目の上記起動信号からの経過時間を、所定の基準時間まで計数するタイマと、上記電話機がオフフックのとき、上記タイマによって計数される上記経過時間が上記所定の基準時間に達する前に、上記遠隔監視装置が上記起動信号を発すると、上記電話機に警告音を発生させる警告音発生回路とを備えたものである。
【００１４】
【発明の実施の形態】
実施の形態１．
図１及び図２は、この発明の実施の形態１を示す。図１において、１は監視対象である宅内に設置された設備、２は設備１の異常を検出して遠隔のセンター装置７に通報する遠隔監視装置、２ａは回線アダプタ４から遠隔監視装置２に至る内線、３は常時電話回線５に接続されて局から供給される局電源によって作動する電話機、３ａは回線アダプタ４から電話機３に至る内線、４は電話機と遠隔監視装置とを択一的に切り替えて同一の電話回線５に接続する回線アダプタ、６は公衆回線網、７は遠隔監視装置２からの設備異常の通報を受信するセンター装置、８は他所に設置された電話機である。
なお、回線アダプタ４は、常時遠隔監視装置２に電源を供給して要時に起動信号を発生させる商用電源Ｐと、ホトカプラからなる電流検出器Ｄと増幅回路１１とリレーＣとが直列に接続された内線２ａの電流検出回路と、ホトカプラからなる電流検出器Ｅと増幅回路１２とリレーＦとが直列に接続された内線３ａの電流検出回路と、警告音発生回路１３と、電話回線５を電話機３から遠隔監視装置２へ切り替える切替装置であるリレーＢと、負の商用電源Ｎとからなる。
【００１５】
次に、動作について説明する。遠隔監視装置２と電話機３はいずれもオンフックの状態にあるとする。この状態ではリレーＢが付勢されており、その接点Ｂａが閉成され、接点Ｂｂは開放されているので商用電源Ｐが遠隔監視装置２に印加される。また、接点Ｂｃは閉成しているので電話機３は外線５、従って局電源に接続されている。以下、この状態を初期状態という。
１．電話機３による通話
時刻ｔ１１で電話機３がオフフックになると、内線３ａが通電状態となり、リレーＦが付勢される。この付勢により接点Ｆｂが閉成し、仮に接点Ｃｆが開放してもリレーＢが消勢されることはない。従って、電話機３は通話を継続でき、時刻ｔ１５でオンフックすることにより通話を終了する。
【００１６】
２．遠隔監視装置２による通報
時刻ｔ１５で初期状態となり、その後設備１に異常が発生したことを遠隔監視装置２が検出したとする。時刻ｔ１６で遠隔監視装置２はオフフック状態となって商用電源Ｐ−接点Ｂａ−電流検出器Ｄ−遠隔監視装置２の回路で電流が流れる。リレーＣが付勢されて、その接点Ｃｆが開放される。この開放によってリレーＢが消勢されて、その接点Ｂｂが閉成され遠隔監視装置２は電話回線５に接続される。更に、公衆回線網６を介してセンター装置７に接続される。遠隔監視装置２からの起動信号に対してセンター装置７から応答信号が返信され、この応答信号を遠隔監視装置２で受信することにより、正常に電話回線が接続されたことになる。また、接点Ｂａが開放されて商用電源Ｐの印加は遮断される。即ち、遠隔監視装置２は商用電源Ｐから局電源に切り替えられる。また、接点Ｂｃの開放により電話機３は局電源による給電が停止される。
時刻ｔ１７で通報が終了すると遠隔監視装置２はオンフック状態となり、内線２ａの電流は遮断されリレーＣは消勢される。この消勢によって初期状態に復帰する。
【００１７】
３．電話機３の通話中に設備１に異常が発生した場合
電話機３による通話中に、設備１に異常が発生して時刻ｔ１２で遠隔監視装置２がオフフックの状態になったとする。電流検出器Ｄが導通してリレーＣが付勢される。この付勢によって接点Ｃｆが開放されるが、接点Ｆｂが閉成しているので、リレーＢは継続して付勢される。このため、電話回線５には電話機３が接続されたままとなる。また、接点Ｃｇの閉成と以前から継続して閉成している接点Ｆｃがトリッガーとなって警告音発生回路１３が作動して電話機３に警告音を発生させ時刻ｔ１４で終了する。
なお、遠隔監視装置２は時刻ｔ１２でオフフックとなり、起動信号をセンター装置７に向けて発信するが、センター装置７から応答信号が返信されて来ないので、遠隔監視装置２は電話回線５に接続されていないことを検知し、時刻ｔ１３でオンフック状態となる。その後電話機３はオンフックとなり初期状態に復帰する。遠隔監視装置２は予め定められた所定時間間隔Ｔｒ経過後の時刻ｔ１６で再度オフフックとなり、上記２項で述べたとおり、設備異常は正常にセンター装置７へ通報される。
４．なお、遠隔監視装置２の通報中は電話機３をかけることはできない。リレーＢが消勢されており、電話機３は給電停止になっているからである。
【００１８】
上記実施の形態１によれば、電話機３の通話中に宅内設備１に異常が発生した場合でも、警告音発生回路１３が作動して電話機３に警告音を発生させ、その旨の警告をして終話を促すので、通話者は遠隔監視装置２が通報不能となる前に通話を済ませることになる。この終話によって設備１の異常をセンター装置７へ通報することができる。
【００１９】
実施の形態２．
上記実施の形態１では、電話機３による通話中に設備１に異常が発生した場合、遠隔監視装置２の最初のオフフックで警告音を発生させるものとしたが、この実施の形態２では第２回目のオフフックで警告音を発生させるようにしたものである。
図３及び図４は実施の形態２を示す。図中、図１と同符号は同一部分を示す。なお、電話機３の通話中に設備１に異常が発生した場合、遠隔監視装置２は電話機３が通話状態にある間、設備１の故障種別毎に定められた所定の時間間隔Ｔｒで繰り返しオフフックとなって起動信号を発するように構成されている。Ｒは一端が接地され、他端が接点Ｃｈを介して商用電源Ｐに接続された抵抗器である。従って、抵抗器Ｒの他端は常時「０」電位であるが、リレーＣが付勢されると＋電位となる。ＴＭは電話機３の通話中に設備異常が発生して遠隔監視装置２がオフフックを繰り返す時間間隔Ｔｒを判定する基準時間Ｔａを出力するタイマで、接点Ｃｈが閉成した後開放することにより抵抗器Ｒの他端が＋から０へ立ち下ることにより動作して上記基準時間Ｔａの間リレーＧを付勢する。
【００２０】
次に電話機３の通話中に設備１に異常が発生した場合の動作を説明する。時刻ｔ２１で電話機３がオフフックになり通話が開始され、リレーＦが付勢される。時刻ｔ２２で遠隔監視装置２がオフフックとなり、第１回の起動信号を発信し、リレーＣが付勢される。リレーＢは接点Ｆｂの閉成により付勢されているので遠隔監視装置２は電話回線５から遮断されている。このため、センター装置７からは応答信号は返信されず、遠隔監視装置２は時刻ｔ２３でオンフックとなり、リレーＣが消勢される。この消勢により、タイマＴＭが基準時間Ｔａを計数し始める。時刻ｔ２２から時間間隔Ｔｒ経過した時刻ｔ２４で第２回の起動信号が発生し、リレーＣが再度付勢される。タイマＴＭは時限を計数中であり、リレーＧは付勢されている。従って、接点Ｇｄ、接点Ｃｇ及び接点Ｆｃはいずれも閉成し警告音発生回路１３が作動して電話機３に警告音を発生させて時刻ｔ２６で終了する。通話者はこの警告音を受けて電話機３を時刻ｔ２７でオンフックとし、リレーＦを消勢させる。これにより初期状態に復帰する。時刻ｔ２４から時間間隔Ｔｒ経過した時刻ｔ２８で第３回の起動信号が発生する。この第３回の起動信号は初期状態からの起動信号であり、既に述べたとおり遠隔監視装置２からセンタ装置７へ設備異常が通報され、時刻ｔ２９で終了する。
【００２１】
上記実施の形態２によれば、電話機３の通話中に設備１に異常が発生した場合、警告音発生回路１３が作動して電話機３に警告音を発生させ、終話を促すので、通話者は早期に通話を済ませることとなり、この終話によって電話回線５を電話機３から遠隔監視装置２へ切り替えて設備１の異常をセンター装置７へ通報することができる。特に、最初の起動信号によっては警告音を発生させず、第２回の起動信号が発生した時点でもなお電話機３が通話中である場合に始めて警告音を発生させるようにしたので、警告音による通話妨害を減少させることができる。
更に、設備１の故障種別毎に定められた所定の時間間隔Ｔｒを基準時間Ｔａで判定して警告音を発生させるようにしたので、軽微な異常によって電話機３の通話が妨害されるのを回避できる。
なお、警告音は第２回の起動信号に限られるものではなく、それよりも更に遅れて発生させてもよい。
【００２２】
実施の形態３．
この実施の形態３では、電話機３の通話中に設備１に異常が発生した場合、電話回線５を電話機３から遠隔監視装置２へ強制的に切り替えてセンター装置７に設備異常を通報するようにしたものである。
図５及び図６はこの発明の実施の形態３を示す。図中、図１と同符号は同一部分を示す。ＡＴは常時付勢されている時限リレーで、その復帰時遅延の常開の接点ＡＴａによって遠隔監視装置２を商用電源Ｐに接続し、また、復帰時遅延の常閉の接点ＡＴｂによって遠隔監視装置２と電話回線５とを遮断している。従って、リレーＣと時限リレーＡＴが切替装置に相当する。
【００２３】
時刻ｔ３１で電話機３がオフフックとなって通話が開始され、その後設備１に異常が発生して時刻ｔ３２で遠隔監視装置２がオフフックになったとする。リレーＣが付勢され、その接点Ｃｅの開放によって電話機３が電話回線５から遮断される。また、接点Ｃｄの開放によって時限リレーＡＴが時限カウントを開始し、時刻ｔ３３で終了する。これにより、接点ＡＴｂが閉成し、接点ＡＴａが開放する。即ち、遠隔監視装置２は商用電源Ｐから電話回線５へ切り替り、センター装置７へ設備１の異常を通報して時刻ｔ３４で終了して初期状態に復帰する。
【００２４】
上記実施の形態３によれば、電話機３の通話中に設備１に異常が発生した場合、電話回線５を電話機３から遠隔監視装置２に切り替えて設備１の異常をセンター装置７へ通報するようにしたので、電話機３の通話中であっても確実に設備異常を通報することができる。
【００２５】
実施の形態４．
上記実施の形態３では、電話機３の通話中に設備１に異常が発生した場合、遠隔監視装置２の最初のオフフックで切り替えるものとしたが、この実施の形態４では第２回目のオフフックで切り替えるようにしたものである。
図７及び図８はこの発明の実施の形態４を示す。図中、図３及び図５と同符号は同一部分を示す。時刻ｔ４１で電話機３がオフフックとなり通話が開始される。その後、設備異常が発生して通話中に時刻ｔ４２で遠隔監視装置２がオフフックとなる。リレーＡＴは接点Ｇｃの閉成により常時付勢されているので遠隔監視装置２は接点ＡＴｂによって電話回線５から遮断されている。このため、センター装置７から応答信号は返信されず、通報失敗となって遠隔監視装置２は時刻ｔ４３でオンフックとなり、リレーＣが消勢される。この消勢により、タイマＴＭが基準時間Ｔａを計数し始め、リレーＧが付勢される。この付勢によって接点Ｇｂが開放されるが、接点Ｃｊが閉成しているので電話機３は電話回線５に接続されたままとなる。また、接点Ｇｃが開放されることにより時限リレーＡＴが時限Ｔ２のカウントを開始し、時刻ｔ４５で終了する。
【００２６】
時刻ｔ４２から故障種別毎に定められた時間間隔Ｔｒが経過した時刻ｔ４４で第２回の起動信号が発生し、リレーＣが再度付勢される。タイマＴＭは基準時間Ｔａを計数中であり、商用電源Ｎ−リレーＧは接点Ｇａ―接点Ｃｉの回路で自己保持する。また、接点Ｃｊの開放によって電話機３が電話回線５から遮断される。時刻ｔ４５で時限リレーＡＴが時限Ｔ２をカウントし終えて接点ＡＴｂが閉成し、接点ＡＴａが開放する。即ち、遠隔監視装置２は商用電源Ｐから電話回線５へ切り替り、センター装置７へ設備１の異常を通報して時刻ｔ４６で終了して初期状態に復帰する。
【００２７】
上記実施の形態４によれば、電話機３の通話中に設備１に異常が発生した場合、電話回線５を電話機３から遠隔監視装置２に切り替えて設備１の異常をセンター装置７へ通報するようにしたので、電話機３の通話中であっても設備異常を通報することができる。
特に、遠隔監視装置２からの最初の起動信号によっては回線の切替をせず、第２回の起動信号が設備１の故障種別毎に定められた所定の時間間隔Ｔｒの経過後に発生すると、この時間間隔Ｔｒを基準時間Ｔａで判定して警告音を発生させるようにしたので、軽微な異常によって電話機３の通話が妨害されることはない。なお、切替えは第２回の起動信号に限られるものではなく、それよりも更に遅れて発生させてもよい。
【００２８】
実施の形態５．
上記実施の形態４では、電話機３の通話中に設備１に異常が発生した場合、遠隔監視装置２の最初のオフフックから時間間隔Ｔｒ後に発生した第２回目のオフフックで電話機３から遠隔監視装置２へ電話回線５に切り替えるようにしたが、この実施の形態５は、設備異常が発生すると遠隔監視装置２からは異常種別に応じてそれぞれ設定された所定時間間隔Ｔｒで起動信号を繰り返して発生させ、電話機３がオフフックのときに最初の起動信号によって電話機３に警告音を発生させ、起動信号の発生時間間隔Ｔｒが短小の場合に、この再度の起動信号によって作動して電話回線５を電話機３から遠隔監視装置２へ強制的に切り替えてセンター装置７に設備異常を通報するようにしたものである。上記実施の形態１及び実施の形態４から容易に想定されるので図示は省略する。
この実施の形態５によれば、軽微な設備異常の場合は警告のみに留め、重大な異常の場合に限ってセンター装置に通報することができる。
なお、警告音は最初の起動信号に、切替は第２回の起動信号にそれぞれ限られるものではなく、警告音を発した後に切り替えるようにすれば、起動信号は任意のものを利用し得る。
【００２９】
実施の形態６．
この実施の形態６では、電話機３が通話中は商用電源Ｐと遠隔監視装置２とを遮断して遠隔監視装置２による起動信号の発生を阻止するようにしたものである。図９及び図１０はこの実施の形態６を示す。リレーＡは常時付勢されて、その接点Ａａを介して遠隔監視装置２を商用電源Ｐに接続している。時刻ｔ５１で電話機３がオフフックとなるとリレーＦが付勢されて接点Ｆａが開放され、リレーＡが消勢される。この消勢によって接点Ａａが開放され、遠隔監視装置２が商用電源Ｐから遮断される。このため、遠隔監視装置２は給電停止の状態となる。従って、仮に電話機３が通話中に設備１に異常が発生したとしても遠隔監視装置２は起動信号を発生しない。時刻ｔ５２で通話が終了して初期状態になるとリレーＦが消勢されてリレーＡが付勢される。リレーＡの付勢によって接点Ａａが閉成され、遠隔監視装置２は商用電源Ｐから給電を受け、時刻ｔ５３で遠隔監視装置２はオフフックとなって上記設備異常をセンター装置７に通報する。時刻ｔ１５で通報が終了し、初期状態となる。
【００３０】
上記実施の形態６によっても、電話機３の通話中に宅内設備１に異常が発生した場合、センター装置７へ通報することができると共に、特に電話機３による通話を妨害することなく設備異常をセンター装置７へ通報することができる。
【００３１】
【発明の効果】
この発明に係る宅内通信装置は、常時電話回線に接続されて局から供給される局電源によって作動する電話機と、常時商用電源に接続されて宅内の設備に異常が発生すると自動的に起動信号を発するとともに、上記電話機がオフフックのときに上記設備に異常が発生した場合には、上記設備に発生した異常種別に応じた所定の時間間隔で、上記起動信号を繰り返し発する遠隔監視装置と、上記電話機がオンフックのときに上記遠隔監視装置が上記起動信号を発すると上記電話回線を上記電話機から上記遠隔監視装置へ切り替えて遠隔のセンター装置に上記設備異常を通報する切替装置と、上記電話機がオフフックのときに上記遠隔監視装置が上記起動信号を発すると、繰り返し発せられる上記起動信号のうち、所定回数目の上記起動信号からの経過時間を、所定の基準時間まで計数するタイマと、上記電話機がオフフックのとき、上記タイマによって計数される上記経過時間が上記所定の基準時間に達する前に、上記遠隔監視装置が上記起動信号を発すると、上記電話機に警告音を発生させる警告音発生回路とを備えたものである。
このため、電話機の通話中に宅内設備に異常が発生した場合、電話機に警告音を発生させて終話を促し、通話者は早期に通話を済ませることになるので、設備異常をセンター装置へ通報することができる、という効果を奏する。
また、終話促進を図ることができると共に、遠隔監視装置による最初の起動信号によっては警告音を発生させず、その後に起動信号が発生した時点でなお電話機が通話中である場合に始めて警告音を発生させるようにしたので、警告音による通話妨害を減少させることができる、という効果を奏する。
また、設備の故障種別毎に定められた所定の時間間隔を基準時間で判定して警告音を発生させるようにしたので、軽微な異常によって電話機の通話が妨害されるのを回避できるという効果を奏する。
【図面の簡単な説明】
【図１】  この発明の実施の形態１の全体を示す電気接続図。
【図２】  この発明の実施の形態１の動作説明図。
【図３】  この発明の実施の形態２の全体を示す電気接続図。
【図４】  この発明の実施の形態２の動作説明図。
【図５】  この発明の実施の形態３の全体を示す電気接続図。
【図６】  この発明の実施の形態３の動作説明図。
【図７】  この発明の実施の形態４の全体を示す電気接続図。
【図８】  この発明の実施の形態４の動作説明図。
【図９】  この発明の実施の形態５の全体を示す電気接続図。
【図１０】  この発明の実施の形態５の動作説明図。
【図１１】  従来の宅内通信装置の全体を示す電気接続図。
【図１２】  従来の宅内通信装置の動作説明図。
【符号の説明】
１  設備、  ２  遠隔監視装置、  ２ａ  内線、  ３  電話機、  ３ａ  内線、  ４  回線アダプタ、  ５  電話回線、  ６  公衆回線網、  ７  センター装置、  ８  電話機、  Ｐ  商用電源、  Ｄ  電流検出器、  Ｅ  電流検出器、  Ｆ  リレー、  Ａ  リレー、  Ｂ  リレー、  Ｃ  リレー、  １１  増幅器、  １２  増幅器、  ＴＭ  タイマ、  Ｎ  商用電源、  Ｒ  抵抗器、  １３  警告音発生回路、  Ｇ  リレー、  ＡＴ  時限リレー。
【図１】
0004156109.tif 000002
【図２】
0004156109.tif 000003
【図３】
0004156109.tif 000004
【図４】
0004156109.tif 000005
【図５】
0004156109.tif 000006
【図６】
0004156109.tif 000007
【図７】
0004156109.tif 000008
【図８】
0004156109.tif 000009
【図９】
0004156109.tif 000010
【図１０】
0004156109.tif 000011
【図１１】
0004156109.tif 000012
【図１２】
0004156109.tif 000013